(57)【要約】【課題】本発明の課題は、破砕されたし渣と水の混合物を搬送するし渣搬送装置において、し渣破砕後において浮上したし渣が装置内で堆積することを防止できる、し渣搬送装置を提供することを目的とする。【解決手段】上記課題を解決するために、水によって搬送されたし渣を破砕する破砕部と、破砕部で破砕されたし渣を移送する移送部とを備えたし渣搬送装置であって、移送部は、空運転可能なポンプ本体を備えることを特徴とするし渣搬送装置を提供する。このし渣搬送装置によれば、装置内の水位が略ゼロになるまでポンプを運転して、破砕されたし渣と水の混合物を移送することができる。これにより、装置内におけるし渣の堆積を防止することが可能となる。【選択図】図１
2020081917.tif 000002
【特許請求の範囲】
【請求項１】
水によって搬送されたし渣を破砕する破砕部と、
前記破砕部で破砕されたし渣を移送する移送部とを備えたし渣搬送装置であって、
前記移送部は、空運転可能なポンプ本体を備えることを特徴とする、し渣搬送装置。
【請求項２】
前記破砕部は、水によって搬送されるし渣の搬送路と、し渣を破砕するための破砕機とを備え、
前記破砕機は、前記搬送路内に配置され、水の流れ方向に対して傾斜していることを特徴とする、請求項１に記載のし渣搬送装置。
【請求項３】
前記空運転可能なポンプ本体は、噴流を利用したジェットポンプであることを特徴とする、請求項１又は２に記載のし渣搬送装置。
【請求項４】
前記移送部は、前記空転可能なポンプ本体に、破砕されたし渣及び水を吸入する吸入管を備え、
前記吸入管は、前記搬送路の底面を基準とし、前記吸入管の開口部の高さが前記吸入管の管径の０．８倍から２倍の値となるように配置されていることを特徴とする、請求項１〜３のいずれか一項に記載のし渣搬送装置。
【請求項５】
前記吸入管は、圧力計を備え、
前記圧力計により前記吸入管内の閉塞状態を検出し、閉塞状態にあることを検出した場合に逆洗処理を行うことを特徴とする、請求項１〜４のいずれか一項に記載のし渣搬送装置。
【請求項６】
前記移送部は、前記空転可能なポンプ本体から、破砕されたし渣及び水を吐出する吐出管を備え、
前記吐出管は、前記圧力計と連動して制御可能な開閉弁を備え、
前記逆洗処理は、前記圧力計により前記吸入管内の閉塞状態を検出した場合に、前記開閉弁の閉操作により行うことを特徴とする、請求項５に記載のし渣搬送装置。
【発明の詳細な説明】
【技術分野】
【０００１】
本発明は、下水処理場やポンプ場等の沈砂池設備で汚水から除去されたし渣を配管移送するためのし渣搬送装置に関する。
【背景技術】
【０００２】
下水処理場やポンプ場等の沈砂池設備では、汚水中のし渣の除去が行われている。また、汚水中から除去されたし渣は、沈砂池設備から分離されて、し渣処理設備に移送されている。従来、沈砂池設備により分離されたし渣は、ベルトコンベヤのような駆動装置を用いて貯留ホッパに搬送されていた。しかし、ベルトコンベヤを設置するための大きなスペースが必要となる上、し渣からの臭気や汚水の飛散等の作業環境に関する問題や、駆動装置の頻繁な清掃を必要とする等の維持管理に関する問題があった。
【０００３】
このため、し渣を洗浄かつ移送する装置として、し渣の破砕、洗浄、配管移送を組み合わせたし渣搬送装置が提案されている。
【０００４】
例えば、特許文献１には、第１洗浄部、破砕部、第２洗浄部を一体構造の槽内に設け、ここに下水処理場から回収したし渣を投入し、し渣の破砕と洗浄を行った後に、破砕されたし渣と水の混合物を移送ポンプにより搬送するし渣搬送装置（し渣処理システム）が記載されている。また、特許文献１には、このし渣搬送装置により、し渣を確実に破砕洗浄し、衛生的に処理するとともに、装置の保守が容易になることが記載されている。
【先行技術文献】
【特許文献】
【０００５】
【特許文献１】特開２００１−１８７３９９号公報
【発明の概要】
【発明が解決しようとする課題】
【０００６】
特許文献１のように、破砕されたし渣と水の混合物をポンプによって搬送するし渣搬送装置では、破砕されたし渣が槽内で浮上することがある。特許文献１には、移送ポンプとして無閉塞形ポンプを用いることが記載されているが、この場合、し渣と水の混合物の搬送は、ポンプの運転が可能な水位までしか行うことができないため、浮上したし渣は搬送されず、槽内に堆積することになる。また、堆積したし渣を槽内から除去するためにはドレンを介して沈砂池設備に返送することになるが、一度破砕したし渣を戻すことになるため、沈砂池設備で捕捉できない可能性が高まり、沈砂池設備のし渣除去効率を低下させてしまうという問題がある。
【０００７】
本発明の課題は、破砕されたし渣と水の混合物を搬送するし渣搬送装置において、し渣破砕後において浮上したし渣が装置内で堆積することを防止できる、し渣搬送装置を提供することである。
【課題を解決するための手段】
【０００８】
本発明者は、上記課題について鋭意検討した結果、破砕されたし渣と水の混合物を移送するポンプとして、空運転可能なポンプを用いることにより、装置内の水位が略ゼロになるまでポンプを運転することができ、その結果、装置内におけるし渣の堆積を防止できることを見出して本発明を完成させた。
すなわち、本発明は、以下のし渣搬送装置である。
【０００９】
上記課題を解決するための本発明のし渣搬送装置は、水によって搬送されたし渣を破砕する破砕部と、破砕部で破砕されたし渣を移送する移送部とを備えたし渣搬送装置であって、前記移送部は、空運転可能なポンプ本体を備えることを特徴とする。
このし渣搬送装置によれば、装置内の水位が略ゼロになるまでポンプを運転して、破砕されたし渣と水の混合物を移送することができる。これにより、装置内におけるし渣の堆積を防止することが可能となる。
【００１０】
また、本発明のし渣搬送装置の一実施態様としては、破砕部は、水によって搬送されるし渣の搬送路と、し渣を破砕するための破砕機とを備え、破砕機は、搬送路内に配置され、水の流れ方向に対して傾斜しているという特徴を有する。
この特徴によれば、し渣の洗浄と破砕を効率的に行うことが可能となる。また、破砕機の配置を水の流れ方向に対して傾斜させるため、破砕機の前方にし渣が滞留することを抑制して、破砕機へし渣を容易に流入させることができる。これにより、し渣の破砕をより促進することができる。
【００１１】
また、本発明のし渣搬送装置の一実施態様としては、空運転可能なポンプ本体は、噴流を利用したジェットポンプであるという特徴を有する。
この特徴によれば、本発明の空運転可能なポンプとして特に好適に機能するポンプを用いることができる。噴流を利用したジェットポンプは、ノズルからの高圧流体（噴流）を利用して目的の流体を移送するポンプであり、駆動部を有しない。したがって、ポンプ本体内で回転羽根が回転して生じる水流（渦流）を利用する他のポンプと異なり、噴流を利用したジェットポンプでは、空運転の状態になってもポンプ本体内の駆動部の過熱、損傷が起こらない。したがって、本発明の空運転可能なポンプとして特に好適に機能するものである。
【００１２】
また、本発明のし渣搬送装置の一実施態様としては、移送部は、空転可能なポンプ本体に、破砕されたし渣及び水を吸入する吸入管を備え、吸入管は、搬送路の底面を基準とし、吸入管の開口部の高さが吸入管の管径の０．８倍から２倍の値となるように配置されているという特徴を有する。
この特徴によれば、吸入管へのし渣の流入効率を低下させることなく、吸入管に流入するし渣の大きさを制御することができる。また、ポンプの閉塞の抑制が可能となる。
【００１３】
また、本発明のし渣搬送装置の一実施態様としては、吸入管は、圧力計を備え、圧力計により吸入管内の閉塞状態を検出し、閉塞状態にあることを検出した場合に逆洗処理を行うという特徴を有する。
この特徴によれば、吸入管が閉塞状態となった際に、装置の分解作業を伴うことなく閉塞状態を解消することが可能となる。
【００１４】
また、本発明のし渣搬送装置の一実施態様としては、移送部は、空転可能なポンプ本体から、破砕されたし渣及び水を吐出する吐出管を備え、吐出管は、圧力計と連動して制御可能な開閉弁を備え、逆洗処理は、圧力計により吸入管内の閉塞状態を検出した場合に、開閉弁の閉操作により行うという特徴を有する。
この特徴によれば、吐出管に設けた開閉弁の操作のみで逆洗処理を行うことができ、簡易な操作で吸入管の閉塞状態を解消することができる。
【発明の効果】
【００１５】
本発明によれば、破砕されたし渣と水の混合物を搬送するし渣搬送装置において、し渣破砕後において浮上したし渣が装置内で堆積することを防止できる、し渣搬送装置を提供することができる。
【図面の簡単な説明】
【００１６】
【図１】本発明の第１の実施態様のし渣搬送装置の構造を示す概略説明図である。
【図２】本発明の第２の実施態様のし渣搬送装置の構造を示す概略説明図である。
【図３】本発明の第３の実施態様のし渣搬送装置の構造を示す概略説明図である。
【図４】本発明の第４の実施態様のし渣搬送装置の構造を示す概略説明図である。
【図５】本発明の第５の実施態様のし渣搬送装置の構造を示す概略説明図である。
【発明を実施するための形態】
【００１７】
本発明のし渣搬送装置は、下水処理場やポンプ場等の沈砂池設備等で捕集、分離されたし渣の配管移送に用いられる。例えば、沈砂池設備では、汚水中のし渣をバースクリーン等で捕集し、レーキ等により沈砂池から掻き揚げられる。掻き揚げられたし渣の搬送には、従来、コンベア等が利用されていたが、汚水が飛散したり、臭気が漏れたりする等の問題がある。本発明のし渣搬送装置は、汚水から除去されたし渣を配管で移送するため、汚水の飛散や臭気の漏れ等を防止することができる。
【００１８】
以下、図面を参照しつつ本発明に係るし渣搬送装置の実施態様を詳細に説明する。
なお、実施態様に記載するし渣搬送装置については、本発明に係るし渣搬送装置を説明するために例示したにすぎず、これに限定されるものではない。
【００１９】
〔第１の実施態様〕
図１は、本発明の第１の実施態様におけるし渣搬送装置１Ａの構造を示す概略説明図である。
本実施態様に係るし渣搬送装置１Ａは、図１に示すように、破砕部２と移送部３を備える。なお、図１中の矢印は水の流れを示すものである。
【００２０】
また、し渣搬送装置１Ａは、投入部４を有し、沈砂池設備から除去されたし渣と、し渣をスラリー化するための水が投入される。し渣及び水の投入手段並びに投入部４の構造については特に限定されない。例えば、し渣搬送装置１Ａの前段にし渣と水を混合する混合部を設け（不図示）、混合部を介して投入部４からし渣及び水を投入するものや、し渣搬送装置１Ａに対して、し渣と水の投入部４をそれぞれ設け、し渣搬送装置１Ａ内でし渣と水が混合されるものなどが挙げられる。また、投入部４には、し渣と水の流入量を制御する制御装置を備えるものであってもよい。これにより、し渣搬送装置１Ａ内のし渣の状態（量・質）に応じて投入する流入量を変えることができ、し渣搬送装置１Ａにおける処理に適した状態（量・質）とすることが容易となる。
また、投入部４から投入される水については特に限定されず、上水、浄水、処理水などが挙げられる。水の調達に係るコストを鑑みると、下水処理場などの処理施設から排出される処理水を活用することが特に好ましい。
【００２１】
破砕部２は、し渣の洗浄及び破砕を行うものである。図１に示すように、破砕部２は、水によって搬送されるし渣の搬送路２１Ａと、し渣を破砕するための破砕機２２を備える。また、破砕機２２は、搬送路２１Ａ内に設置されている。
【００２２】
搬送路２１Ａは、し渣と水を混合し、搬送するための構成であり、所定の水位まで水が貯められている。また、搬送路２１Ａは、し渣と水を投入する投入部４から破砕機２２に向かって水の流れが形成されている。この水の流れにより、し渣を破砕部２１ａに搬送することができる。
【００２３】
搬送路２１Ａ内で水の流れを形成するための手段としては、特に制限されず、例えば、搬送路２１Ａ内に水を流通させるためのポンプや重力等のエネルギーを利用したり、搬送路２１Ａにおいて上流側から下流側に高低差を設けて位置エネルギーを利用したり、搬送路２１Ａ内にスクリュー等の動力により流れを形成する装置を設けたりしてもよい。なお、本実施態様においては、図１に示すように、搬送路２１Ａにおいて上流側から下流側（図１における投入部４から移送部３方向）に高低差を設けるものとしている。
【００２４】
搬送路２１Ａには、水位計Ｓが設けられ、観測した水位に応じた対応を行う。例えば、水位が所定値より増加した場合には、投入部４からのし渣及び水の投入の停止や搬送路２１Ａの上部に設けられた排水部２３からオーバーフローによる排水という対応が行われる。また、水位が所定値より低下した場合、し渣の搬送を継続する際には、投入部４からの流入量増加という対応が行われる。これにより、搬送路２１Ａ内でし渣の搬送に必要な水量が維持されるため、安定的なし渣の搬送を実現することができる。
なお、本実施態様におけるし渣搬送装置１Ａは、搬送路２１Ａ内のし渣の堆積を防ぐために、搬送路２１Ａ内の水位を略ゼロにすることが可能な構造である。したがって、本実施態様においては、水位計Ｓの水位が所定値より低下した場合の警告手段及び警告手段に基づく制御機構を備えることについては、特に限定されない。
【００２５】
破砕機２２は、し渣を破砕するために使用されるものである。し渣を破砕することにより、搬送路２１Ａ内のし渣の搬送をより促進することができる。また、し渣は、下水や汚水等に含まれる金属類やプラスチック類、下着、雑巾、脱脂綿等の繊維類等であり、これらのし渣はポンプや、脱水機や、撹拌機等の後段の機器に絡みついて機器の故障の原因となる。そのため、破砕機２２によりし渣を破砕することにより、機器の故障等を防止することができる。また、し渣を破砕することにより、し渣の洗浄効率を高めることもできる。
【００２６】
破砕機２２としては、どのような形式のものを使用してもよく、例えば、駆動軸に複数の破砕刃を備えた二軸破砕機等を用いればよい。本実施態様においては、破砕機２２を搬送路２１Ａの内部に設置することから、駆動軸を立設する縦型の二軸破砕機が特に好ましい。
また、破砕機２２の設置に関しては、搬送路２１Ａ中の水の流れ方向に対して傾斜させることが好ましい。より具体的には、搬送路２１Ａの設置位置の底面に対して縦型の二軸破砕機の駆動軸を傾斜して立設することが特に好ましい。これにより、破砕機２２の上流側にし渣が滞留することを抑制して、破砕機２２へし渣を容易に流入させることができる。その結果、し渣の破砕をより促進することができる。
【００２７】
移送部３は、破砕機２２で破砕されたし渣と水の混合物（以下、「混合水」という。）を配管移送するものであり、破砕部２における搬送路２１Ａの下流側に接続されている。移送部３は、図１に示すように、吸入管３１、吐出管３２、空運転可能なポンプ本体３３を備える。
【００２８】
吸入管３１は、破砕部２における搬送路２１Ａ側に設けられ、空運転可能なポンプ本体３３と連結されている。本実施態様における吸入管３１は、搬送路２１Ａの上方から混合水を吸引して搬送可能な位置に設置されている。
【００２９】
吸入管３１の配置位置は、吸入管３１の管径ｄに基づいて設定することができる。例えば、開口部３１ａから搬送路２１Ａの底面までの高さＨが管径ｄよりも小さい場合、開口部３１ａの閉塞が生じやすくなるという観点から、開口部３１ａの高さＨの下限は、吸入管３１の管径ｄの０．８倍とすることが好ましい。一方、開口部３１ａから搬送路２１Ａの底面までの高さＨが管径ｄよりも大きい場合、搬送路２１Ａの底面に十分な吸引力が得られず、し渣が搬送路２１Ａの底面に残存しやすくなるという観点から、開口部３１ａの高さＨの上限は、吸入管３１の管径ｄの２倍とすることが好ましい。
【００３０】
吐出管３２は、し渣搬送装置１Ａの外側に延伸し、空運転可能なポンプ３３本体と連結されている。なお、吐出管３２の後段には、し渣を処理するための各種処理装置を設けることとしてもよい。
【００３１】
吐出管３２の後段に設ける各種処理装置の一例としては、分離機、脱水機などが挙げられる。
分離機は、混合水を破砕されたし渣と分離水に分離するためのものである。分離機は、固液分離するための装置であればどのようなものでもよく、例えばドラム型の濾過装置や、遠心分離装置等が挙げられる。なお、分離水は、沈砂池設備に返送してもよく、本実施態様における投入部４へ返送し、し渣をスラリー化する水として利用するものであってもよい。
また、脱水機は、分離機で固液分離されたし渣を脱水するためのものである。脱水機は、固体から水分を除くための装置であればどのようなものでもよく、例えばスクリュープレス式、ロータリープレス式、ベルトプレス式などが挙げられる。
【００３２】
空運転可能なポンプ本体３３は、搬送路２１Ａ内の水位が略ゼロになるまで混合水の移送を可能とするものである。なお、空運転可能なポンプとは、ポンプ本体内に液体が入っていない状態で作動可能なポンプを示す。
【００３３】
本実施態様における空運転可能なポンプ本体３３としては、噴流を利用したジェットポンプを用いることが好ましい。
一般的に、ポンプ本体内で回転羽根が回転して生じる水流（渦流）を利用するポンプでは、液体以外に空気のような気体を吸い込んだ場合、回転羽根の駆動部に対して十分な冷却効果が得られず、摩擦熱が生じる。その結果、ポンプ本体の過熱、損傷が起こるという問題がある。
一方、ジェットポンプとは、給水管からの加圧水（噴流）を利用して目的の流体を移送するポンプであり、回転羽根及び回転羽根に係る駆動部を有しない。したがって、空運転状態となっても駆動部からの発熱がなく、ポンプ本体の過熱、損傷が生じないため、本実施態様における空運転可能なポンプ本体３３として好適に用いることができる。
【００３４】
図１に示すように、本実施態様におけるジェットポンプ３４は、給水管３５からの加圧水が、ジェットポンプ３４内の加圧水室３４ａに供給されると、この加圧水がジェットポンプ３４内で噴射室３４ｂに向けて斜め上に噴射される。噴射室３４ｂに噴射された加圧水は噴射室３４ｂ内を高い流速で通過し、吐出管３２を通じてし渣搬送装置１Ａの外へ排出される。このような高流速の加圧水の移動によって、噴射室３４ｂ内に真空状態が形成されて吸入管３１に吸引力が生じる。この結果、搬送路２１Ａ内の混合水が吸入管３１の開口部３１ａに吸い込まれ、吸入管３１、噴射室３４ｂを経由して、吐出管３２から加圧水とともにし渣搬送装置１Ａの外に移送される。
なお、本実施態様におけるジェットポンプ３４としては、ジェットポンプ３４内の加圧水室３４ａの中央部に吸入管３１が位置し、給水管３５からの加圧水は吸入管３１の外周部から噴出する形式のものを示しているが、給水管３５がジェットポンプ３４内の加圧水室３４ａの中央部に位置する形式のものであってもよい。
【００３５】
吸入管３１には、圧力計Ｐが設けられ、観測した圧力に応じた対応を行う。本実施態様における移送部３は、混合水を吸引して移送する構成としている。したがって、例えば、圧力計Ｐの測定により吸入管３１内の負圧が高まり真空度が増したと判断された場合、吸入管３１の閉塞が起きているものと判断し、閉塞状態を解消するための対応を行う。
【００３６】
閉塞状態を解消するための手段としては、吸入管３１内を逆洗処理することが好ましい。これにより、移送部３の分解作業を伴うことなく、閉塞状態の解消が可能となる。
吸入管３１の逆洗処理の具体的な手段としては、例えば、吸入管３１に対して逆洗処理用の給水管を別途設け、閉塞状態と判断した際に逆洗処理用の給水管から洗浄水を供給して逆洗処理を行うことが挙げられる。また、図１に示すように、吐出管３２に圧力計Ｐと連動して制御可能な開閉弁３６を設け、閉塞状態と判断した際に開閉弁３６の閉操作を行うことにより、移送部３内の水が吐出管３２及び吸入管３１内を逆流し、逆洗処理を行うことが挙げられる。
逆洗処理に係る操作の容易性を鑑みると、開閉弁による逆洗処理を行うことが好ましい。特に、空運転可能なポンプ本体３３としてジェットポンプ３４を用いる場合、開閉弁３６の閉操作によって給水管３５からの加圧水が吐出管３２及び吸入管３１内を逆流するため、高効率な逆洗処理が可能となる。
【００３７】
以上のように、本実施態様におけるし渣搬送装置により、搬送路内の水位が略ゼロになるまで移送部を作動させて、混合水を移送することができる。これにより、搬送路内に浮遊するし渣も混合水として移送することが可能となり、し渣搬送装置内におけるし渣の堆積を防止することが可能となる。
なお、本実施態様におけるし渣搬送装置を用いて、搬送路内の水位が略ゼロになるまで混合水を移送する作業を実施する形態については特に限定されない。例えば、状況に応じて作業者が適宜実施するものであってもよい。具体的には、し渣搬送装置のメンテナンス等、し渣の投入を完全に停止した状態で実施することやし渣の流入量が少ない際に実施すること等が挙げられる。また、例えば、し渣の流入量にかかわらず、本実施態様のし渣搬送装置を常時連続して運転するものとしてもよい。特に、本実施態様における空運転可能なポンプ本体がジェットポンプである場合、通常運転と空運転において運転制御上の変更が生じない。したがって、本実施態様のし渣搬送装置において安定した連続運転が可能となる。
【００３８】
〔第２の実施態様〕
図２は、本発明の第２の実施態様のし渣搬送装置１Ｂの構造を示す概略説明図である。
本実施態様に係るし渣搬送装置１Ｂは、図２に示すように、水の流れ方向の略全体にわたって底面が傾斜した搬送路２１Ｂを備え、搬送路２１Ｂの内部には、傾斜した底面に対して破砕機２２として略垂直方向に立設した縦型の二軸破砕機を備えている。これにより、搬送路２１Ｂ中の水の流れ方向に対して破砕機２２が傾斜した状態で配置される。
なお、本実施態様におけるし渣搬送装置１Ｂの構成のうち、第１の実施態様のし渣搬送装置１Ａの構成と同じものについては、説明を省略する。
【００３９】
本実施態様においては、図２に示すように、搬送路２１Ｂの最下流側に移送部３を設けることが好ましい。これにより、移送部３による混合水の搬送を開始した際に、混合水中に浮上したし渣は移送部３付近に集まりやすくなる。その結果、移送部３では、浮上したし渣も含めた混合水の搬送効率が向上する。
【００４０】
〔第３の実施態様〕
図３は、本発明の第３の実施態様のし渣搬送装置１Ｃの構造を示す概略説明図である。図３Ａは、本実施態様におけるし渣搬送装置１Ｃの側面図である。また、図３Ｂは、本実施態様におけるし渣搬送装置１Ｃの断面図である（図３Ａ中のＩ−Ｉ矢視図）。
本実施態様に係るし渣搬送装置１Ｃは、図３に示すように、側面が傾斜した搬送路２１Ｃを備えている。
なお、本実施態様におけるし渣搬送装置１Ｃの構成のうち、第１の実施態様のし渣搬送装置１Ａの構成と同じものについては、説明を省略する。
【００４１】
本実施態様においては、図３に示すように、移送部３を配置する箇所は破砕機２２の下流側であればよく、特に限定されない。搬送路２１Ｃの側面を傾斜させることにより、移送部３による混合水の搬送を開始し、水位が低下した際に、混合水中に浮上したし渣は移送部３付近に集まりやすくなる。その結果、移送部３では、浮上したし渣も含めた混合水の搬送効率が向上する。
【００４２】
〔第４の実施態様〕
図４は、本発明の第４の実施態様のし渣搬送装置１Ｄの構造を示す概略説明図である。
本実施態様に係るし渣搬送装置１Ｄは、図４に示すように、移送部３の吸入管３１を搬送路２１Ａの最下流側の側面に備えている。
なお、本実施態様におけるし渣搬送装置１Ｄの構成のうち、第１の実施態様のし渣搬送装置１Ａの構成と同じものについては、説明を省略する。なお、本実施態様においては、搬送路２１Ａを用いたものを示しているが、これに限定されるものではない。例えば、第２又は第３の実施態様で示した搬送路（２１Ｂ又は２１Ｃ）を用いるものとしてもよい。
【００４３】
本実施態様においては、図４に示すように、搬送路２１Ａの最下流側の側面に吸入管３１を設けているため、移送部３による混合水の搬送を開始した際に、搬送路２１Ａ内の水の流れが一方向に収束しやすくなる。これにより、浮上したし渣も含めた混合水の搬送をより促進することができる。
【００４４】
〔第５の実施態様〕
図５は、本発明の第５の実施態様のし渣搬送装置１Ｅの構造を示す概略説明図である。
本実施態様に係るし渣搬送装置１Ｅは、図５に示すように、移送部３の吸入管３１を搬送路２１Ａの底面に備えている。
なお、本実施態様におけるし渣搬送装置１Ｅの構成のうち、第１の実施態様のし渣搬送装置１Ａの構成と同じものについては、説明を省略する。なお、本実施態様においては、搬送路２１Ａを用いたものを示しているが、これに限定されるものではない。例えば、第２又は第３の実施態様で示した搬送路（２１Ｂ又は２１Ｃ）を用いるものとしてもよい。
【００４５】
本実施態様においては、図５に示すように、搬送路２１Ａの底面に吸入管３１を設けているため、移送部３による混合水の搬送を開始した際に、搬送路２１Ａ内の混合水の流れが吸入管３１の開口部３１ａ側に収束しやすくなる。これにより、浮上したし渣も含めた混合水の搬送をより促進することができる。
【００４６】
なお、上述した実施態様はし渣搬送装置の一例を示すものである。本発明に係るし渣搬送装置は、上述した実施態様に限られるものではなく、請求項に記載した要旨を変更しない範囲で、上述した実施態様に係るし渣搬送装置を変形してもよい。
【００４７】
例えば、本実施態様の破砕部において、破砕機の上流側の搬送路底面にドレンを設けることとしてもよい。これにより、破砕機の上流側でし渣の堆積が生じた場合、ドレンを介して破砕前のし渣を取り除き、再度投入部４から投入することで、し渣の破砕をより確実に行うことができる。
【００４８】
また、本実施態様における移送部の吸入管にし渣が付着することを防ぐために、吸入管入口側を防壁で覆う構造を設けることとしてもよい。
【００４９】
また、本実施態様における移送部の吸入管を移動可能な構造とし、搬送路内で浮上したし渣が存在する箇所に吸入管の開口部を移動させて、混合水の搬送を行うものとしてもよい。
【産業上の利用可能性】
【００５０】
本発明のし渣搬送装置は、下水処理場、浄水場、ポンプ場等の水処理設備におけるし渣の搬送に利用することができる。
【符号の説明】
【００５１】
１Ａ，１Ｂ，１Ｃ，１Ｄ，１Ｅ  し渣搬送装置、２  破砕部、２１Ａ，２１Ｂ，２１Ｃ  搬送路、２２  破砕機、２３  排水部、３  移送部、３１  吸入管、３１ａ  開口部、３２  吐出管、３３  空運転可能なポンプ本体、３４  ジェットポンプ、３４ａ  加圧水室、３４ｂ  噴射室、３５  給水管、３６  開閉弁、４  投入部、ｄ  吸入管の管径、Ｈ  吸入管の開口部の高さ、Ｐ  圧力計、Ｓ  水位計
【図１】
2020081917.tif 000003
【図２】
2020081917.tif 000004
【図３】
2020081917.tif 000005
【図４】
2020081917.tif 000006
【図５】
2020081917.tif 000007